(57)【特許請求の範囲】
【請求項１】
室内に設置される本体と、この本体の運転の制御を指示するワイヤレスリモコンとを備え、前記本体の前面パネルには、樹脂により成形されたリモコン装着部が設けられ、このリモコン装着部は、受光窓と、この受光窓を覆う窓カバーと、前記ワイヤレスリモコンに付設された着磁性金属を吸着する磁石とを有し、前記ワイヤレスリモコンが前記リモコン装着部に着脱可能に装着される温風暖房機であって、前記リモコン装着部の表面を前記前面パネルの表面と略面一にすると共に、前記ワイヤレスリモコンをリモコン装着部に装着時には、ワイヤレスリモコンによって前記リモコン装着部の全面を覆うことを特徴とする温風暖房機。
【請求項２】
請求項１に記載の温風暖房機において、前記窓カバーの外周に連続した凹溝を形成すると共に、前記ワイヤレスリモコンの裏面側に、前記凹溝に嵌合する凸部を形成したことを特徴とする温風暖房機。
【発明の詳細な説明】
【０００１】
【発明の属する技術分野】
この発明は、室内に設置される本体と、この本体の運転の制御を指示する着脱可能なワイヤレスリモコンを搭載した石油ファンヒータ等の温風暖房機に関するものである。
【０００２】
【従来の技術】
例えば、ワイヤレスリモコンが温風暖房機本体に着脱自在に装着されるものでは、ワイヤレスリモコンが簡単に外れないように、温風暖房機本体の前面パネルにワイヤレスリモコン全体が収納できるような収納ケースを埋め込んで、この収納ケース内にワイヤレスリモコン全体を収納し、温風暖房機本体の前面パネルからワイヤレスリモコンがはみださないようにして、ワイヤレスリモコンが簡単に外れないようにしていた。
【０００３】
【発明が解決しようとする課題】
しかしながら、このように温風暖房機本体の前面パネルに、収納ケースを埋め込んで、この収納ケース内に収納したワイヤレスリモコンが前面パネルからはみださないようにしたものでは、ワイヤレスリモコンを前面パネルから取り外した時に、リモコンの収納ケースが見苦しく露出され、外観的に見劣りがするばかりでなく、収納ケース自体も大きくなり、コストアップの要因ともなっていた。
【０００４】
本発明は上記従来の問題点を解消するもので、ワイヤレスリモコンを温風暖房機本体の前面パネルから取り外しても、良好な外観的が得られると共に、ワイヤレスリモコンの収納ケースを必要としないようにできる温風暖房機を提供することを目的とする。
【０００５】
【課題を解決するための手段】
上記課題を解決するため、請求項１に記載の本発明では、室内に設置される本体と、この本体の運転の制御を指示するワイヤレスリモコンとを備え、前記本体の前面パネルには、樹脂により成形されたリモコン装着部が設けられ、このリモコン装着部は、受光窓と、この受光窓を覆う窓カバーと、前記ワイヤレスリモコンに付設された着磁性金属を吸着する磁石とを有し、前記ワイヤレスリモコンが前記リモコン装着部に着脱可能に装着される温風暖房機であって、前記リモコン装着部の表面を前記前面パネルの表面と略面一にすると共に、前記ワイヤレスリモコンをリモコン装着部に装着時には、ワイヤレスリモコンによって前記リモコン装着部の全面を覆うことを特徴とする。
【０００６】
請求項２に記載の本発明では、請求項１に記載の温風暖房機において、前記窓カバーの外周に連続した凹溝を形成すると共に、前記ワイヤレスリモコンの裏面側に、前記凹溝に嵌合する凸部を形成したことを特徴とする。
【０００９】
【発明の実施の形態】
以下、本発明の一実施例を図１ないし図４の図面を参照しながら説明する。
【００１０】
図１ないし図４において、１は温風暖房機本体、２はこの温風暖房機本体１の前面を覆っている前面パネル、３は温風暖房機本体１の天面を覆っている天板である。５はこの天板３に設けられている温風暖房機本体１の運転状態の表示および運転を操作する各種操作ボタンを備えた表示操作部であり、運転の「入」、「切」の他、室温の調節、時刻の設定、燃焼モードの切替などの設定ができ、表示に関しては、室温、時刻、換気、給油などの表示をおこなうことができる。
【００１１】
また、１３および１４は温風暖房機本体１の左側板と右側板であり、これら左側板１３と右側板１４の上方部には温風暖房機本体１を移動するときに使用する把手４が設けてある。
【００１２】
また、図２中の１５は、右側板１４の下方部に設けられている油量確認窓であり、この油量確認窓１５はカートリッジタンク（図示せず）内の燃料の量を確認するためのものである。
【００１３】
６は前面パネル２の略中央に設けられ、バーナ（図示せず）の燃焼により生じた温風を温風暖房機本体１の前方へ吹き出すための温風吹出口である。７は温風吹出口６から吹き出される温風に方向性を与えてより遠方まで温風が届くようにする複数のルーバである。
【００１４】
８は温風暖房機本体１の内部に設けられている燃焼筒であり、この燃焼筒８の内部で前記したバーナ（図示せず）の燃料が行われる。９は燃焼筒８の前面に設けられているのぞき窓であり、こののぞき窓９により燃焼炎の状態の確認をおこなうことができる。
【００１５】
１０は温風暖房機本体１の底部に設けられた置台であり、この置台１０に前記したバーナ（図示せず）や油受け皿（図示せず）などが載置固定されている。
【００１６】
１１はワイヤレスリモコンであり、このワイヤレスリモコン１１は、温風暖房機本体１の前面パネル２の右側上方部に設けられたホルダー４０に形成されているリモコン装着部３０に着脱自在に装着されている。そして、このワイヤレスリモコン１１は赤外線による遠隔操作で、温風暖房機本体１の運転の「切」、室温の調整、３時間延長などの操作、指示が可能である。
【００１７】
１２は液体燃料を入れるカートリッジタンク（図示せず）を出し入れするときに使用する開閉蓋、１６は温風暖房機本体１の背面のファンガードで、この内部に温風用モータ、対流ファン（いずれも図示せず）が配置され、対流ファンの回転により、ファンカード１６を介して吸引した室内空気を燃焼筒８に向けて送風して温風を生じさせる。
【００１８】
前記ホルダー４０は、樹脂により成形され全体の形状は略矩形であり、その略中央には四隅を円弧とした略横長矩形状で凸状のリモコン装着部３０を設けている。そして、このリモコン装着部３０の表面は、前面パネル２の表面と略面一（約１〜３ｍｍ突出しているのが適当）である。また、このリモコン装着部３０の外周には複数の角孔３１を有している。この複数の角孔３１は、ホルダー４０を前面パネル２に固定するときに、前面パネル２に設けられている複数の爪３２と嵌合する。
【００１９】
また、前記リモコン装着部３０は図３および図４に示すように、中央より上方に前記ワイヤレスリモコン１１からの赤外線を受光するための受光部１８を有している。この受光部１８は開放された略横長矩形状の受光窓１９と、この受光窓１９を覆うスモークのかかった半透明樹脂製の窓カバー１７により構成されている。そして、受光窓１９に窓カバー１７を嵌合装着することによって窓カバー１７の全外周に略横長矩形状に連続した凹溝２４が形成される。
【００２０】
また、前記受光部１８よりも下のリモコン装着部３０の裏面には、ワイヤレスリモコン１１を磁力により吸着する磁石２０が装着されている。
【００２１】
そして、前記凹溝２４には、ワイヤレスリモコン１１の裏面に形成されている凸部２３が嵌合すると同時に、ワイヤレスリモコン１１の裏面に設けられている凹部４４の略全体がリモコン装着部３０に嵌合するようになっている。
【００２２】
さらにまた、リモコン装着部３０に設けられた磁石２０によって、ワイヤレスリモコン１１の裏面に接着されている着磁性の金属板２２が吸着され、このようにしてワイヤレスリモコン１１はリモコン装着部３０に着脱可能に装着するようになっている。
【００２３】
Ａは前記受光部１８の受光窓１９に対向して温風暖房機本体１内に配置した受光素子である。
【００２４】
上述の構成においてホルダー４０を前面パネル２に固定するには、まず、前面パネル２の右側上方部に開けられた開口２６に、ホルダー４０のリモコン装着部３０を前面パネル２の裏側から嵌合する。そして、磁石押え用の固定金具２５をホルダー４０の裏面より嵌合する。このとき前面パネル２に設けられた複数の爪３２も角孔３１に嵌合される。
【００２５】
そして、前記複数の爪３２を略直角に曲げることにより、前記ホルダー４０は前面パネル２に取り付けられる。
【００２６】
前述のように取付けられたホルダー４０は、このホルダー４０のリモコン装着部３０のみが前面パネル２の表側に露出され、この露出されたリモコン装着部３０の表面は、前面パネル２の表面と略面一となっている。
【００２７】
このため、ワイヤレスリモコン１１を温風暖房機本体１の前面パネル２から取り外した時でも、温風暖房機本体１の特に前面パネル２の外観がスッキリとして、良好な外観が得られ、また、従来のようにリモコン全体を収容する収納ケースを必要としないため、構成を簡素化でき、材料の節約が図れ、資源の有効利用ができる。
【００２８】
また、ワイヤレスリモコン１１は、リモコン装着部３０への装着時に略全体が前面パネル２よりも前方へ突出するため、使用時の取り外しを容易となせる。
【００２９】
また、前記ワイヤレスリモコン１１は、裏面側に凸部２３を有し、この凸部２３を前記リモコン装着部３０の窓カバー１７の全外周に形成された凹溝２４に嵌合させる構成としたので、ワイヤレスリモコン１１の装着位置をしっかりと確定できるとともに、不必要にワイヤレスリモコン１１が外れるのを防止できる。
【００３０】
また、前記リモコン装着部３０は、ワイヤレスリモコン１１の装着時に、このワイヤレスリモコン１１によって全体が覆われるため、リモコン装着部３０を露出させないようにでき、ワイヤレスリモコン装着時における外観性を良好となせる。
【００３１】
また、受光窓１９を覆う窓カバー１７は、スモークのかかった半透明の樹脂でつくられているため、受光素子Ａが室内の蛍光燈などによる光には反応せず、誤動作の可能性を少なくできる。
【００３２】
尚、上述の実施例では、リモコン装着部３０の表面を前面パネル２の表面よりもわずかに（約１〜３ｍｍ）突出させたが、リモコン装着部３０の表面は前面パネル２の表面と面一であっても良い。
【００３３】
【発明の効果】
以上説明したように請求項１に記載の本発明によれば、室内に設置される本体と、この本体の運転の制御を指示するワイヤレスリモコンとを備え、前記本体の前面パネルには、樹脂により成形されたリモコン装着部が設けられ、このリモコン装着部は、受光窓と、この受光窓を覆う窓カバーと、前記ワイヤレスリモコンに付設された着磁性金属を吸着する磁石とを有し、前記ワイヤレスリモコンが前記リモコン装着部に着脱可能に装着される温風暖房機であって、前記リモコン装着部の表面を前記前面パネルの表面と略面一にすると共に、前記ワイヤレスリモコンをリモコン装着部に装着時には、ワイヤレスリモコンによって前記リモコン装着部の全面を覆う構成であるから、ワイヤレスリモコンを温風暖房機本体の前面パネルから取り外した時でも、温風暖房機本体の特に前面パネルの外観がスッキリとして、良好な外観が得られ、また、従来のようにリモコン全体を収容する収納ケースを必要としないため、構成を簡素化でき、材料の節約が図れ、資源の有効利用ができると同時に、ワイヤレスリモコンのリモコン装着部への装着時には、ワイヤレスリモコンによってリモコン装着部の全面が覆われる構成としたことにより、リモコン装着部を露出させないようにでき、ワイヤレスリモコン装着時においても外観性を良好となせる。
【００３４】
また、ワイヤレスリモコンは、リモコン装着部への装着時に略全体が前面パネルよりも前方へ突出するため、使用時の取り外しを容易となせる。
【００３５】
請求項２に記載の本発明では、請求項１に記載の温風暖房機において、前記窓カバーの外周に連続した凹溝を形成すると共に、前記ワイヤレスリモコンの裏面側に、前記凹溝に嵌合する凸部を形成したことにより、窓カバーを利用してワイヤレスリモコンの装着位置をしっかり確定できるとともに、不必要にワイヤレスリモコンが外れるのを防止できる。
【図面の簡単な説明】
【図１】本発明の一実施例を示す温風暖房機の正面図である。
【図２】本発明の一実施例を示す温風暖房機の右側面図である。
【図３】本発明の一実施例を示すワイヤレスリモコンを装着した状態のリモコン装着部を説明する説明図である。
【図４】本発明の一実施例を示すワイヤレスリモコンを外した状態の要部拡大正面図である。
【符号の説明】
１      本体（温風暖房機本体）
２      前面パネル
１１    ワイヤレスリモコン
１７    窓カバー
１９    受光窓
２０    磁石
２２    着磁性金属（着磁性の金属板）
２３    凸部（ワイヤレスリモコンの凸部）
２４    凹溝（リモコン装着部の凹溝）
３０    リモコン装着部
【図１】
0004251761.tif 000002
【図２】
0004251761.tif 000003
【図３】
0004251761.tif 000004
【図４】
0004251761.tif 000005